(57)【要約】【課題】ＧＰＳ機能を備える携帯電話機の位置情報を利用して、所定の地区に居住登録された住民が、他の地区や何れの地区の拡声放送も届かない特定地域内に在圏する場合でも、放送内容を聴くことができる。【解決手段】Ａ地区内２０に在住し居住登録した住民がＧＰＳ機能を備える携帯電話機を携帯し、統制局(操作卓１０)からＡ地区に対して放送音声信号を送信するとき、統制局は、送信先のＡ地区に居住登録されている全住民２２、３２、４２の携帯電話機から在圏位置情報を取得し、送信先のＡ地区内に設置されている複数の屋外拡声装置２１の内、取得した在圏位置に対する最寄りの屋外拡声装置を指定して放送音声信号を送信し、屋外拡声装置へ放送音声の拡声を指示する。【選択図】      図１
2004206366.tif 000002
【特許請求の範囲】
【請求項１】
一つの管轄区域を複数の地区に分割し、分割した前記地区毎に複数の屋外拡声装置を設置して統制局から送信される放送音声信号を拡声する市町村防災無線システムの放送方法であって、前記地区内に在住し居住登録した住民がＧＰＳ機能を備える携帯電話機を携帯し、前記統制局から任意の前記地区に対して前記放送音声信号を送信するとき、前記統制局は、送信先の前記地区に居住登録されている全住民の前記携帯電話機から在圏位置情報を取得し、送信先の前記地区内に設置されている複数の前記屋外拡声装置の内、取得した前記携帯電話機の前記在圏位置に対する最寄りの前記屋外拡声装置を指定して前記放送音声信号を送信し、最寄りの前記屋外拡声装置へ放送音声の拡声を指示することを特徴とする携帯電話機利用による防災無線システムの放送方法。
【請求項２】
一つの管轄区域を複数の地区に分割し、分割した前記地区毎に複数の屋外拡声装置を設置して統制局から送信される放送音声信号を拡声する市町村防災無線システムの放送方法であって、前記地区内に在住し居住登録した住民がＧＰＳ機能を備える携帯電話機を携帯し、前記統制局から任意の前記地区に対して前記放送音声信号を送信するとき、前記統制局は、送信先の前記地区に居住登録されている全住民の前記携帯電話機から在圏位置情報を取得し、全住民が送信先の前記地区に在圏するとき、前記送信先の前記地区内に設置されている複数の前記屋外拡声装置の内、取得した前記携帯電話機の前記在圏位置に対する最寄りの前記屋外拡声装置を指定して前記放送音声信号を送信し、前記住民が前記送信先地区以外の前記地区に移動しているときは、移動先地区内に設置されている複数の前記屋外拡声装置の内、取得した前記携帯電話機の前記在圏位置に対する最寄りの前記屋外拡声装置を指定して前記放送音声信号を送信し、最寄りの前記屋外拡声装置へ放送音声の拡声を指示することを特徴とする携帯電話機利用による防災無線システムの放送方法。
【請求項３】
一つの管轄区域を複数の地区に分割し、分割した前記地区毎に複数の屋外拡声装置を設置して統制局から送信される放送音声信号を拡声する市町村防災無線システムの放送方法であって、前記地区内に在住し居住登録した住民がＧＰＳ機能を備える携帯電話機を携帯し、前記統制局から任意の前記地区に対して前記放送音声信号を送信するとき、前記統制局は、送信先の前記地区に居住登録されている全住民の前記携帯電話機から在圏位置情報を取得し、全住民が送信先の前記地区に在圏するとき、前記送信先の前記地区内に設置されている複数の前記屋外拡声装置の内、取得した前記携帯電話機の前記在圏位置に対する最寄りの前記屋外拡声装置を指定して前記放送音声信号を送信し、前記住民が前記送信先地区以外の前記地区に移動しているときは、前記統制局から無線電波により移動先地区内に在圏する前記住民の前記携帯電話機との間に通話回線を設定し、前記放送音声信号を送信することを特徴とする携帯電話機利用による防災無線システムの放送方法。
【請求項４】
前記通信回線を設定し、前記送信先地区以外の前記地区に移動している前記住民が携帯する前記携帯電話機が不応答のとき、前記住民が携帯する前記携帯電話機が備える留守番電話機能により送信された前記放送音声信号を蓄積することを特徴とする請求項３記載の携帯電話機利用による防災無線システムの放送方法。
【請求項５】
一つの管轄区域を複数の地区に分割し、分割した前記地区毎に複数の屋外拡声装置を設置して統制局から送信される放送音声信号を拡声する市町村防災無線システムの放送方法であって、前記地区内に在住し居住登録した住民がＧＰＳ機能を備える携帯電話機を携帯し、前記統制局から任意の前記地区に対して前記放送音声信号を送信するとき、前記統制局は、送信先の前記地区に居住登録されている全住民の前記携帯電話機から在圏位置情報を取得し、全住民が送信先の前記地区に在圏するとき、前記送信先の前記地区内に設置されている複数の前記屋外拡声装置の内、取得した前記携帯電話機の前記在圏位置に対する最寄りの前記屋外拡声装置を指定して前記放送音声信号を送信し、前記住民が前記送信先地区以外の前記地区に移動しているときは、移動先地区内に設置されている複数の前記屋外拡声装置の内、取得した前記携帯電話機の前記在圏位置に対する最寄りの前記屋外拡声装置を指定して前記放送音声信号を送信し、前記住民が前記分割した複数の前記地区以外の前記管轄区域内に移動しているときは、前記統制局から無線電波により前記管轄区域内に在圏する前記住民の前記携帯電話機との間に通話回線を設定し、前記放送音声信号を送信することを特徴とする携帯電話機利用による防災無線システムの放送方法。
【請求項６】
前記携帯電話機から取得した前記住民の前記在圏位置と前記住民の前記在圏位置に対する最寄りの前記屋外拡声装置の位置は、地図情報にマッピング表示することを特徴とする請求項１乃至５記載の携帯電話機利用による防災無線システムの放送方法。
【請求項７】
一つの管轄区域を複数の地区に分割し、分割した前記地区毎に複数の屋外拡声装置を設置して統制局から送信される放送音声信号を拡声する市町村防災無線システムの放送方法であって、前記地区内に在住し居住登録した住民がＧＰＳ機能を備える携帯電話機を携帯し、前記統制局は、前記住民の個人情報を指定して前記住民が携帯する携帯電話機に現在の位置情報を要求し、取得した前記住民の在圏位置と前記在圏位置に対する最寄りの前記屋外拡声装置の位置とを地図上にマッピング表示して前記住民の在圏位置を特定し、オペレータが前記地図上で前記在圏位置に最近の警察署または消防署を指定し前記住民の探索を依頼すると共に、前記在圏位置に最近の前記前記屋外拡声装置に対し前記住民の探索のための放送音声信号を送信し、前記屋外拡声装置へ放送音声の拡声を指示することを特徴とする携帯電話機利用による防災無線システムの放送方法。
【請求項８】
前記住民は、徘徊者および迷子であることを特徴とする請求項７記載の携帯電話機利用による防災無線システムの放送方法。
【発明の詳細な説明】
【０００１】
【発明の属する技術分野】
本発明は、防災無線システムの放送方法に関し、特にＧＰＳ機能を備える携帯電話機の測位情報を利用した放送方法に関する。
【０００２】
【従来の技術】
従来の市町村防災無線システムは、図７に示すように、一つの管轄区域を複数の地区例えば、Ａ地区２０、Ｂ地区３０、Ｃ地区４０に分割し、分割した各地区毎に複数の屋外拡声装置２１、３１、４１を設置して統制局の操作卓１０からＡ地区２０、Ｂ地区３０、Ｃ地区４０に対して放送音声信号を送信し拡声する方法が一般的である。
【０００３】
しかしながら、このような市町村防災無線システムの放送方法は、次のような課題がある。
【０００４】
第１の課題は、拡声放送時にその地区に在圏する住民以外は拡声放送を聞くことができない。そのため、ある地区(例えばＡ地区２０)に対して拡声放送が行なわれたとき、Ａ地区２０の地区住民が別の地区(例えばＢ地区３０)に出かけていた場合、放送を聞くことができない。
【０００５】
第２の課題は、屋外拡声装置の拡声範囲外にいる場合も放送を聞くことができない。すなわち、Ａ地区２０、Ｂ地区３０、Ｃ地区４０以外に在圏している住民は放送を聞くことができない。
【０００６】
したがって、地区内在住の住民が何処の地区および地区以外の統制局の管轄区域内へ移動しても、その在住地区に対する拡声放送を聞くことができる市町村防災無線システムが望まれる。
【０００７】
このような要望に対し、衛星測位手段と、通信手段とを有し、現在位置情報を送信可能な移動体端末装置と、移動体端末装置から送信された位置情報を受信し、その位置情報に基づいて移動体端末装置の位置を監視するセンタ装置とを備え、移動体端末装置が発報のための少なくとも１つの発報エリアの情報を記憶し、衛星測位手段で検出された緯度経度情報に基づいて、自身が発報エリアに進入または発報エリアから脱出した場合に、その情報を現在位置情報と共に無線手段を介して発報する制御装置を備えた移動体端末装置を徘徊者等の移動体に装着し移動体の動態状況をセンタ装置で監視し、予め登録された緊急連絡先(家庭用電話機)へ公衆網を介して通報し、緊急連絡先が不応答のときインタネットを介して介護者用端末へ通報する移動体位置監視システムが、例えば特開２０００−１４５９２号公報に開示されている(第１の従来技術)。
【０００８】
また、徘徊者の個人識別情報や状態情報を送信する徘徊者用送信機を徘徊者に携行させ、徘徊者用送信機柄送信される電波を屋外拡声子局および各住民宅に設置されている複数の戸別受信機で受信し、受信した個人識別情報や状態情報を同報系防災無線システムが有する統制局および徘徊者管理装置で収集管理し、最新の徘徊者位置や状況を把握する徘徊者位置検知システムが、例えば特開２００１−２４５３３４号公報に開示されている(第２の従来技術)。
【０００９】
また、徘徊者に無線信号送信機を携帯させ、同報システムの任意の子局に徘徊者が携帯する無線信号送信機から送信される無線信号を受信すると共に所定時間経過ごとに受信した徘徊者に関する情報を同報システムの親局に向けて送信する老人情報送受信機と、徘徊者の家族が携帯され同報システムの親局の送信信号を受信する受信機とを備え、徘徊者の家族が同報システムの子局が収集した徘徊者に関する情報を親局を介して受信する老人監視システムが、たとえば特開平５−１２０５８３号公報に開示されている(第３の従来技術)。
【００１０】
本発明の目的は、ＧＰＳを連動させることで他地区や、範囲外にいる場合
でも、放送を聞き逃さないようにするための市町村防災無線システムを提供することにある。
【００１１】
【特許文献１】
特開２００１−１４５９２号公報(段落０００８、０００９、００３８、図１、２)
【特許文献２】
特開２０００１−２４５３３４号公報(段落００２１、００２２、００２３、図１〜図５、図７、図８)
【特許文献３】
特開平５−１２０５８３号公報(段落０００６、０００７，０００８、図１)
【００１２】
【発明が解決しようとする課題】
上述した第１の従来技術は、移動端末装置が常時衛星測位を行い、移動端末装置に予め発報エリアを登録しておき、使用者が発報エリアに進入または脱出した場合に自動的に通報を行うことにより、痴呆性老人等の行方不明を未然に防止するものであり、衛星測位を常時行うため、移動端末装置の電池の消耗が激しい。
【００１３】
また、移動端末には、使用者の進入または脱出を監視するための特定発報エリアを予め登録しておく必要があり、しかも特定発報エリアには矩形領域、円形領域があり、エリア(領域)内への進入、エリア(領域)内からの脱出の判定処理が複雑である。
【００１４】
また、センタ装置に予め使用者個々に対応して緊急連絡先を登録しておく必要があり、また、通報を受けた緊急連絡先(家庭用電話機、または介護者用端末)の家族または介護者自身が行方不明者の保護に向かわなければならず、その間の不測の事態に対応することができない。
【００１５】
例えば、行方不明者の在圏位置の近くに居る人に保護を依頼できれば、家族や介護者が行方不明者の在圏位置まで出向く間に起こり得る不測の事態は未然に防ぐことができる。
【００１６】
また、第２の従来技術は、防災無線システムを利用し、統制局からの電波を受信し、防災や広報情報を屋外スピーカで拡声する防災用送受信部の外に、徘徊者が携帯する徘徊者送信機が間欠発信する位置情報の電波を受信する間欠電波受信機と、間欠電波受信機が受信した位置情報を収集し、徘徊者ＩＤ、受信時間、受信電界強度を蓄積し、防災無線未使用時に防災用送受信部から統制局へ送信する制御部とを防災無線システムの屋外拡声子局に備え、また徘徊者が携帯する徘徊者送信機が間欠発信する位置情報の電波を受信する徘徊者用受信機と、徘徊者用受信機が受信した位置情報を収集し徘徊者ＩＤ、受信時間、受信電界強度を蓄積し、統制局からの要求(問合せ情報)に応答して徘徊者ＩＤ、受信時間、受信電界強度を公衆有線回線を介して統制局へ送信する制御部と、統制局から徘徊者に関する問合せ情報を受信する防災用無線受信機とを備える戸別受信機と、公衆有線回線を介して戸別受信機から徘徊者ＩＤ、受信時間、受信電界強度等の徘徊者情報を受信し蓄積する徘徊者管理装置を防災無線システムの統制局に備え、徘徊者管理装置に蓄積した情報を基に最新の受信データであり、且つ電界強度最も大きい戸別受信機を特定し、その戸別受信機の設置場所から徘徊者の位置を割り出すものであり、既設の防災無線システムの統制局および屋外拡声子局に上記各種の設備を新たに設置する必要があり、更に子別受信機を各家庭に設置する必要があり、既存の防災無線システムをそのまま使用することができない。
【００１７】
また、第３の従来技術は、無線同報システムを利用し、徘徊者が携帯する無線送信機から送信される無線信号を受信すると共に、この無線信号を所定時間毎に受信した徘徊者に関する位置情報等を親局へ送信する徘徊者情報送受信機を無線同報システムの子局に備え、子局が徘徊者情報送受信機で収集した徘徊者の位置情報や状態情報を親局を介して徘徊者の家族が携帯する受信機で受信することにより、家族が徘徊者を監視するものであり、無線同報システムにおける複数の子局に徘徊者情報送受信機を新たに設置する必要がある。
【００１８】
また、徘徊者を追跡するために、徘徊者が携帯する送信機は常時位置情報の電波を送信しなければならず、電池の消耗が激しい。
【００１９】
本発明の目的は、ＧＰＳ機能を備える携帯電話機の位置情報を利用して、所定の地区に居住登録された住民が、他の地区や何れの地区の拡声放送も届かない特定地域内に在圏する場合でも、放送内容を聴くことができる携帯電話利用による防災無線システムの放送方法を提供することにある。
【００２０】
【課題を解決するための手段】
本発明の携帯電話機利用による防災無線システムの放送方法は、一つの管轄区域を複数の地区に分割し、分割した前記地区毎に複数の屋外拡声装置を設置して統制局から送信される放送音声信号を拡声する市町村防災無線システムの放送方法であって、前記地区内に在住し居住登録した住民がＧＰＳ機能を備える携帯電話機を携帯し、前記統制局から任意の前記地区に対して前記放送音声信号を送信するとき、前記統制局は、送信先の前記地区に居住登録されている全住民の前記携帯電話機から在圏位置情報を取得し、送信先の前記地区内に設置されている複数の前記屋外拡声装置の内、取得した前記携帯電話機の前記在圏位置に対する最寄りの前記屋外拡声装置を指定して前記放送音声信号を送信し、最寄りの前記屋外拡声装置へ放送音声の拡声を指示することを特徴とする。
【００２１】
また、一つの管轄区域を複数の地区に分割し、分割した前記地区毎に複数の屋外拡声装置を設置して統制局から送信される放送音声信号を拡声する市町村防災無線システムの放送方法であって、前記地区内に在住し居住登録した住民がＧＰＳ機能を備える携帯電話機を携帯し、前記統制局から任意の前記地区に対して前記放送音声信号を送信するとき、前記統制局は、送信先の前記地区に居住登録されている全住民の前記携帯電話機から在圏位置情報を取得し、全住民が送信先の前記地区に在圏するとき、前記送信先の前記地区内に設置されている複数の前記屋外拡声装置の内、取得した前記携帯電話機の前記在圏位置に対する最寄りの前記屋外拡声装置を指定して前記放送音声信号を送信し、前記住民が前記送信先地区以外の前記地区に移動しているときは、移動先地区内に設置されている複数の前記屋外拡声装置の内、取得した前記携帯電話機の前記在圏位置に対する最寄りの前記屋外拡声装置を指定して前記放送音声信号を送信し、最寄りの前記屋外拡声装置へ放送音声の拡声を指示することを特徴とする。
【００２２】
また、一つの管轄区域を複数の地区に分割し、分割した前記地区毎に複数の屋外拡声装置を設置して統制局から送信される放送音声信号を拡声する市町村防災無線システムの放送方法であって、前記地区内に在住し居住登録した住民がＧＰＳ機能を備える携帯電話機を携帯し、前記統制局から任意の前記地区に対して前記放送音声信号を送信するとき、前記統制局は、送信先の前記地区に居住登録されている全住民の前記携帯電話機から在圏位置情報を取得し、全住民が送信先の前記地区に在圏するとき、前記送信先の前記地区内に設置されている複数の前記屋外拡声装置の内、取得した前記携帯電話機の前記在圏位置に対する最寄りの前記屋外拡声装置を指定して前記放送音声信号を送信し、前記住民が前記送信先地区以外の前記地区に移動しているときは、前記統制局から無線電波により移動先地区内に在圏する前記住民の前記携帯電話機との間に通話回線を設定し、前記放送音声信号を送信することを特徴とする。
【００２３】
また、前記通信回線を設定し、前記送信先地区以外の前記地区に移動している前記住民が携帯する前記携帯電話機が不応答のとき、前記住民が携帯する前記携帯電話機が備える留守番電話機能により送信された前記放送音声信号を蓄積することを特徴とする。
【００２４】
また、一つの管轄区域を複数の地区に分割し、分割した前記地区毎に複数の屋外拡声装置を設置して統制局から送信される放送音声信号を拡声する市町村防災無線システムの放送方法であって、前記地区内に在住し居住登録した住民がＧＰＳ機能を備える携帯電話機を携帯し、前記統制局から任意の前記地区に対して前記放送音声信号を送信するとき、前記統制局は、送信先の前記地区に居住登録されている全住民の前記携帯電話機から在圏位置情報を取得し、全住民が送信先の前記地区に在圏するとき、前記送信先の前記地区内に設置されている複数の前記屋外拡声装置の内、取得した前記携帯電話機の前記在圏位置に対する最寄りの前記屋外拡声装置を指定して前記放送音声信号を送信し、前記住民が前記送信先地区以外の前記地区に移動しているときは、移動先地区内に設置されている複数の前記屋外拡声装置の内、取得した前記携帯電話機の前記在圏位置に対する最寄りの前記屋外拡声装置を指定して前記放送音声信号を送信し、前記住民が前記分割した複数の前記地区以外の前記管轄区域内に移動しているときは、前記統制局から無線電波により前記管轄区域内に在圏する前記住民の前記携帯電話機との間に通話回線を設定し、前記放送音声信号を送信することを特徴とする。
【００２５】
また、前記携帯電話機から取得した前記住民の前記在圏位置と前記住民の前記在圏位置に対する最寄りの前記屋外拡声装置の位置は、地図情報にマッピング表示することを特徴とする。
【００２６】
また、一つの管轄区域を複数の地区に分割し、分割した前記地区毎に複数の屋外拡声装置を設置して統制局から送信される放送音声信号を拡声する市町村防災無線システムの放送方法であって、前記地区内に在住し居住登録した住民がＧＰＳ機能を備える携帯電話機を携帯し、前記統制局は、前記住民の個人情報を指定して前記住民が携帯する携帯電話機に現在の位置情報を要求し、取得した前記住民の在圏位置と前記在圏位置に対する最寄りの前記屋外拡声装置の位置とを地図上にマッピング表示して前記住民の在圏位置を特定し、オペレータが前記地図上で前記在圏位置に最近の警察署または消防署を指定し前記住民の探索を依頼すると共に、前記在圏位置に最近の前記前記屋外拡声装置に対し前記住民の探索のための放送音声信号を送信し、前記屋外拡声装置へ放送音声の拡声を指示することを特徴とする。
【００２７】
また、前記住民は、徘徊者および迷子であることを特徴とする。
【００２８】
【発明の実施の形態】
本発明の実施の形態について図面を参照して説明する。
【００２９】
図１は本発明の携帯電話機利用による防災無線システムの基本構成を示す図、図２は本発明の操作卓における操作表示画面の一例を示す図、図３は第１の実施の形態の放送処理のフローチャート、図４は第２の実施の形態の放送処理のフローチャート、図５は第３の実施の形態の放送処理のフローチャート、図６は第４の実施の形態の放送処理のフローチャートである。
【００３０】
最初に本発明の構成について説明する。
本発明の携帯電話機利用による防災無線システムは、図１に示すように、Ａ町５０に市町村防災システムが設置され、Ａ町全体を統括している。Ａ町は、Ａ地区２０とＢ地区３０とＣ地区４０の３つの地区に分割され、Ａ地区２０には複数の屋外拡声装置２１が配設されている。
【００３１】
同様に、Ｂ地区３０には複数の屋外拡声装置３１が、またＣ地区４０には複数の屋外拡声装置４１がそれぞれ配設されている。
【００３２】
各地区に居住登録された住民は、個々にＧＰＳ機能を有する携帯電話機を所有し、常時携帯している。
【００３３】
なお、Ａ町内にはＡ地区２０、Ｂ地区３０、Ｃ地区４０の各地区以外に、屋外拡声装置が設置されず、各地区の屋外拡声装置が拡声する放送音声が届かない地域（以下地区外エリア）が存在する。
【００３４】
Ａ地区２０内に在圏する住民２２、Ｂ地区３０内に在圏する住民３２、Ｃ地区４０内に在圏する住民４２、および地区外エリアに在圏する住民５１は、Ａ地区２０に居住登録された住民である。住民３２、４２、および５１はＡ地区２０から何らかの理由でＢ地区３０、Ｃ地区４０、区域外エリアに移動している。
【００３５】
Ａ町５０の市町村防災システムは、各地区の屋外拡声装置を制御する統制局の操作卓１０と、操作卓１０と有線接続路８０で接続され、ＧＰＳ衛星７０からの出力信号を捕捉し緯度経度を検出して自己の現在位置を取得した携帯電話機から現在位置情報を受信し、受信した位置情報を基に各携帯電話機の在圏位置を把握し、各携帯電話機の在圏位置に最も近い屋外拡声装置を特定し、特定した屋外拡声装置のＩＤ情報を携帯電話機の位置情報と共に操作卓１０へ送信する位置情報伝達装置６０を備えている。
【００３６】
位置情報伝達装置６０は、有線接続路８０を介して操作卓１０との間で各種信号を授受するための有線インターフェース機能と、住民が携帯する携帯電話機との間で無線電波を介して各種制御情報および音声情報を授受する無線送受信機能と、各地区ごとに屋外拡声装置個々のＩＤ情報を記憶しておく機能と、携帯電話機から取得した位置情報を基に当該携帯電話機の在圏位置から最も近くに設置されている屋外拡声装置を特定し、特定した屋外拡声装置のＩＤ情報を記憶された複数のＩＤ情報に中から検索する機能とを少なくとも備えている。
【００３７】
操作卓１０には、各地区毎に全在住民の携帯電話機の電話番号が登録され、全在住民の所在を管理する機能を備えている。
【００３８】
操作卓１０は、地区毎に居住する全住民の氏名に対応して携帯電話機の電話番号と、特殊情報を予め登録しておく記憶機能と、Ａ町全域の地図情報、および地区毎の地図情報を登録しておくデータベースと、携帯電話機の在圏位置およびその在圏位置に最も近い位置に設定されている屋外拡声装置の位置を地図情報上にマップして表示する機能と、各種制御情報および放送音声信号を屋外拡声装置および位置情報伝達装置６０を介して携帯電話機へ送信する機能と、有線接続路８０を介して位置情報伝達装置６０との間で各種信号を授受するための有線インターフェース機能と、本システム全体を制御する制御機能（ＣＰＵ）とを少なくとも備えている。
【００３９】
操作卓１０には図２に示すような初期表示画面が表示され、全在住民を管理する。初期表示画面は全在住民の個人情報を表示する個人表示領域と、全在住民を所定の分類項目毎に分類して表示するためのスイッチ群を表示する分類表示領域と、市町村防災システムを利用して住民を呼び出すための制御スイッチ群を表示する呼出制御表示領域が表示される。
【００４０】
個人情報表示領域には、全在住民の氏名に対応して、携帯電話番号、在住地区名の外に、消防団加入者、一人暮らし、医者等の個人の特殊情報が表示される。
【００４１】
分類表示領域には、地区選択スイッチ（Ａ地区、Ｂ地区、Ｃ地区）、特殊情報（消防団加入、一人暮らし）選択スイッチ、在住民の在圏位置を特定するための地図情報を表示させる地図表示スイッチ等が表示される。消防団加入スイッチは災害時等の緊急時に最近の消防団員を呼び出すとき使用し、一人暮らしスイッチは、独居者の日常的な管理、定期的な管理等に使用する。
【００４２】
呼出制御表示領域には、屋外拡声装置を起動するための屋外スイッチ(図示せず)、携帯電話機の在圏位置に対する最寄りの屋外拡声装置を起動するための近隣屋外スイッチ、地区外エリアに移動した住民を呼び出すための携帯スイッチと、放送音声の放送を開始するための呼出スイッチと、放送を終了するための終話スイッチ等が表示される。
【００４３】
次に図３に図１、図２を合わせて参照し、第１の実施の形態について説明する。第１の実施の形態は、居住登録された地区から他の地区に出かけている住民に対しも放送内容を伝達可能にするものである。
【００４４】
なお、ここではＡ地区２０に居住登録されている住民に対して屋外拡声装置により拡声放送する場合に、Ａ地区２０に在住登録された住民の内、何らかの理由で他のＢ地区３０、Ｃ地区４０に出かけている住民に対してもＡ地区向けの放送内容を伝達する場合を例に説明する。
【００４５】
図１によれば、Ａ地区に居住登録されている住民２２がＡ地区２０に、Ａ地区に居住登録されている住民３２がＢ地区に、Ａ地区に居住登録されている住民４２はＣ地区にそれぞれ在圏している。
【００４６】
操作卓１０がＡ地区２０に対して屋外拡声装置による拡声放送を行う場合、所定の方法で操作卓１０を起動すると、図２に示す初期表示画面が操作卓上に表示される。
【００４７】
オペレータが表示画面上の分類表示領域に表示されているＡ地区のスイッチを押下すると（図３のステップＳ１０１）、Ａ地区２０に居住登録されている全在住民の個人リストが自動ソートされ、個人情報表示領域に表示される。
【００４８】
次いでオペレータが呼出制御表示領域に表示されている屋外スイッチと近隣屋外スイッチを押下すると、位置情報要求信号が有線接続路８０を介して位置情報伝達装置６０へ送信され（Ｓ１０２）、位置情報伝達装置６０は位置情報要求信号を受信すると、住民２２、３２、４２が携帯する携帯電話機に対し、それぞれ位置情報要求信号を無線信号により送信する（Ｓ１０３）。
【００４９】
住民２２、３２、４２が携帯する携帯電話機は位置情報要求信号を受信すると、ＧＰＳ衛星７０からの出力信号を捕捉し緯度経度を検出して、自己の現在位置を取得し無線信号により位置情報伝達装置６０へ送信する（Ｓ１０４）。
【００５０】
位置情報伝達装置６０は、住民２２、３２、４２が携帯する携帯電話機の現在位置情報を受信し（Ｓ１０５）、住民２２、３２、４２が現在何処の地区に在圏し、且つそれぞれの在圏位置に対する最寄りの屋外拡声装置を判定し、判定した最寄りの屋外拡声装置のＩＤ情報を携帯電話機の位置情報と共に有線接続路８０を介して操作卓１０へ送信する（Ｓ１０６）。
【００５１】
操作卓１０は、位置情報伝達装置６０から住民２２、３２、４２の位置情報とそれぞれの最寄りの屋外拡声装置のＩＤ情報を受信し、受信した位置情報から住民２２、３２、４２が何処の地区に在圏し、ＩＤ情報から最寄りの屋外拡声装置を特定し、放送音声信号の送信を開始する（Ｓ１０７）。
【００５２】
Ａ地区２０では複数の屋外拡声装置２１の中から住民２２の在圏位置に最も近い屋外拡声装置２１が、Ｂ地区では複数の屋外拡声装置３１の中から住民３２の在圏位置に最も近い屋外拡声装置３１が、Ｃ地区では複数の屋外拡声装置４１の中から住民４２の在圏位置に最も近い屋外拡声装置４１が放送音声を拡声して住民２２、３２、４２に報知する（Ｓ１０８、Ｓ１０９、Ｓ１１０）。
【００５３】
操作卓１０は、音声放送を終了すると呼出制御の表示領域の終話スイッチを操作して終話信号を屋外拡声装置２１、３１、４１へ送信し（Ｓ１１１）、終話信号を受信した屋外拡声装置２１、３１、４１は放送音声の拡声を終了する（Ｓ１１２、Ｓ１１３、Ｓ１１４）。
【００５４】
このように、Ａ地区２０に居住登録された住民がＢ地区３０、Ｃ地区４０へ何らかの理由で移動した場合でも、移動先の地区内において移動した住民の在圏位置に対する最寄りの屋外拡声装置を特定して拡声放送が行なわれるので、Ａ地区に対する放送の聞き逃しを防ぐことができる。
【００５５】
次に、図４に図１、図２を合わせて参照し、第２の実施の形態について説明する。第２の実施の形態は、操作卓１０の表示画面に住民が携帯する携帯電話機の位置情報と、その位置情報に対する最寄りの屋外拡声装置の位置を表示した地図情報を使用して放送音声の拡声を行うものである。
【００５６】
なお、ここではＡ地区２０に居住登録されている住民に対して屋外拡声装置により拡声放送する場合に、Ａ地区２０に在住登録された住民の内、何らかの理由で他のＢ地区３０、Ｃ地区４０に出かけている住民に対してもＡ地区向けの放送内容を伝達する場合を例に説明する。
【００５７】
操作卓１０がＡ地区２０に対して屋外拡声装置による拡声放送を行う場合、所定の方法で操作卓を起動すると、図２に示す初期表示画面が操作卓上に表示される。
【００５８】
オペレータが表示画面上の分類表示領域に表示されているＡ地区のスイッチを押下すると共に地図表示スイッチを押下すると（図4のステップＳ２０１）、Ａ地区２０に居住登録されている全在住民の個人リストが自動ソートされ、個人情報の表示領域に表示される。
【００５９】
次いでオペレータが呼出制御表示領域の屋外スイッチと近隣屋外スイッチを押下すると、位置情報要求信号が有線接続路８０を介して位置情報伝達装置６０へ送信され（Ｓ２０２）、位置情報伝達装置６０は位置情報要求信号を受信すると、住民２２、３２、４２が携帯する携帯電話機に対し、それぞれ位置情報要求信号を無線信号により送信する（Ｓ２０３）。
【００６０】
住民２２、３２、４２が携帯する携帯電話機は位置情報要求信号を受信すると、ＧＰＳ衛星７０からの出力信号を捕捉し緯度経度を検出して、自己の現在位置を取得し無線信号により位置情報伝達装置６０へ現在の位置情報を送信する（Ｓ２０４）。
【００６１】
位置情報伝達装置６０は、住民２２、３２、４２が携帯する携帯電話機の現在位置情報を受信し（Ｓ２０５）、住民２２、３２、４２が現在何処の地区に在圏し、且つ在圏位置に対する最寄りの屋外拡声装置を判定し、判定した最寄りの屋外拡声装置のＩＤ情報を携帯電話機の位置情報と共に有線接続路８０を介して操作卓１０へ送信する（Ｓ２０６）。
【００６２】
操作卓１０は、位置情報伝達装置６０から住民２２、３２、４２の位置情報と最寄りの屋外拡声装置のＩＤ情報を受信し、受信した位置情報から住民２２、３２、４２が何処の地区に在圏し、ＩＤ情報から最寄りの屋外拡声装置を特定し、受信した携帯電話機の位置情報と最寄りの屋外拡声装置の位置をマッピングした地図情報を表示する（Ｓ２０７）。
【００６３】
オペレータが呼出制御表示領域の呼出スイッチを押下すると（Ｓ２０８）、地図情報上に表示された最寄りの屋外拡声装置に対して放送音声信号の送信を開始する（Ｓ２０９）。
【００６４】
Ａ地区２０では複数の屋外拡声装置２１の中から住民２２の在圏位置に最も近い屋外拡声装置２１が、Ｂ地区では複数の屋外拡声装置３１の中から住民３２の在圏位置に最も近い屋外拡声装置３１が、Ｃ地区では複数の屋外拡声装置４１の中から住民４２の在圏位置に最も近い屋外拡声装置４１が放送音声信号を拡声して報知する（Ｓ２１０、Ｓ２１１、Ｓ２１２）。
【００６５】
操作卓１０は、音声放送を終了すると呼出制御表示領域の終話スイッチを操作して終話信号を屋外拡声装置２１、３１、４１へ送信し（Ｓ２１３）、終話信号を受信した屋外拡声装置２１、３１、４１は放送音声の拡声を終了する（Ｓ２１４、Ｓ２１５、Ｓ２１６）。
【００６６】
このように、オペレータは、住民２２、３２、４２の在圏位置と各在圏位置に最も近い屋外拡声装置を地図上で確認し制御することができる。
【００６７】
また、Ａ地区２０に居住登録された住民がＢ地区３０、Ｃ地区４０へ何らかの理由で移動した場合でも、移動先の地区内において移動した住民の在圏位置に対する最寄りの屋外拡声装置を特定して拡声放送が行なわれるので、Ａ地区に対する放送の聞き逃しを防ぐことができる。
【００６８】
次に図５に図１、図２を合わせて参照し、第３の実施の形態について説明する。第３の実施の形態は、管轄区域内で且つ何れの地区内にも在圏しない住民に対し放送内容を伝達可能にするものである。
【００６９】
なお、ここではＡ地区２０に居住登録されている住民に対して屋外拡声装置により拡声放送する場合に、Ａ地区２０に居住登録された住民の内、何らかの理由で他のＢ地区３０、Ｃ地区４０およびＡ地区２０、Ｂ地区３０、Ｃ地区４０以外の地区外エリアに出かけている住民に対してもＡ地区２０向けの放送内容を伝達する例について説明する。
【００７０】
図１において、Ａ地区２０に居住する住民５１がＢ地区３０、Ｃ地区４０以外の地区外エリアに移動した場合、何れの地区の屋外拡声装置からの放送音声の拡声も聞くことができない。
【００７１】
なお、ここではＡ地区２０に居住登録されている住民に対して屋外拡声装置により拡声放送する場合に、Ａ地区２０に在住登録された住民の内、何らかの理由で他のＢ地区３０、Ｃ地区４０および地区外エリアに出かけている住民に対してもＡ地区向けの放送内容を伝達する場合を例に説明する。
【００７２】
Ａ地区２０内に在圏する住民２２、Ｂ地区内に在圏する住民３２、Ｃ地区内に在圏する住民４２、および地区外エリアに在圏する住民５１は、Ａ地区２０に居住登録されている住民である。住民３２、４２、および５１は何らかの理由でＡ地区２０から移動している。
【００７３】
操作卓１０がＡ地区２０に対して屋外拡声装置による拡声放送を行う場合、所定の方法で操作卓を起動すると、図２に示す初期表示画面が操作卓上に表示される。
【００７４】
オペレータが表示画面上の分類表示領域に表示されているＡ地区のスイッチを押下すると共に地図表示スイッチを押下すると（図５のステップＳ３０１）、Ａ地区２０に居住登録されている全在住民の個人リストが自動ソートされ、個人情報表示領域に表示される。
【００７５】
次いでオペレータが呼出制御表示領域の屋外スイッチと近隣屋外スイッチを押下すると位置情報要求信号が有線接続路８０を介して位置情報伝達装置６０へ送信され（Ｓ３０２）、位置情報伝達装置６０は位置情報要求信号を受信すると、住民２２、３２、４２、５１が携帯する携帯電話機に対し、それぞれ位置情報要求信号を無線信号により送信する（Ｓ３０３）。
【００７６】
住民２２、３２、４２、５１が携帯する携帯電話機は位置情報要求信号を受信すると、ＧＰＳ衛星７０からの出力信号を捕捉し緯度経度を検出して、自己の現在位置を取得し無線信号により位置情報伝達装置６０へ現在位置情報を送信する（Ｓ３０４）。
【００７７】
位置情報伝達装置６０は、住民２２、３２、４２、５１が携帯する携帯電話機の現在位置情報を受信し（Ｓ３０５）、住民２２、３２、４２、５１が現在何処の地区に在圏し、且つ在圏位置に対する最寄りの屋外拡声装置を判定し、判定した最寄りの屋外拡声装置のＩＤ情報を携帯電話機の位置情報と共に操作卓１０へ送信する（Ｓ３０６）。
【００７８】
このＩＤ情報の中には、住民５１は地区Ａ、Ｂ、Ｃ以外の地区外エリアに在圏するため、ＩＤ情報の代わりに地区外エリアであることを示す所定の情報が含まれている。
【００７９】
操作卓１０は、位置情報伝達装置６０から住民２２、３２、４２、５１の位置情報と最寄りの屋外拡声装置のＩＤ情報を受信し、受信した位置情報から住民２２、３２、４２、５１が何処の地区に在圏し、ＩＤ情報から最寄りの屋外拡声装置を特定し、受信した携帯電話機の位置情報と最寄りの屋外拡声装置の位置をマッピングした地図情報を表示する（Ｓ３０７）。
【００８０】
このとき、住民５１は地区Ａ、Ｂ、Ｃ以外の地区外エリアに在圏するため、住民５１が携帯する携帯電話機の位置情報に対する最寄りの屋外拡声装置は地図情報上にはマッピングされない。
【００８１】
したがって、オペレータが呼出制御表示領域の携帯スイッチを選択後、呼出スイッチを押下すると（Ｓ３０８）、位置情報伝達装置６０へ住民５１が携帯する携帯電話機に対する携帯接続要求信号を有線接続路８０を介して送信する（Ｓ３０９）。この携帯接続要求信号には住民５１が携帯する携帯電話機の電話番号が含まれている。
【００８２】
位置情報伝達装置６０は、操作卓１０から携帯接続要求信号を受信すると、無線信号により住民５１が携帯する携帯電話機に対し発信(呼出)し（Ｓ３１０）、住民５１が携帯する携帯電話機に着信する（Ｓ３１１）。
【００８３】
住民５１が携帯する携帯電話機が応答すると（Ｓ３１２）、無線信号により応答信号が位置情報伝達装置６０へ送信され、位置情報伝達装置６０がこの応答信号を受信して住民５１が携帯する携帯電話機の応答を検出し(Ｓ３１３)、応答信号を操作卓１０へ有線接続路８０を介して送信する（Ｓ３１４）。なお、不応答のときは、携帯電話機が備える留守録機能を利用して放送内容を蓄積しておく。
【００８４】
操作卓１０は、応答信号を受信すると放送音声信号の送信を開始する（Ｓ３１５）。このとき、放送音声信号は、位置情報伝達装置６０を介して住民５１が携帯する携帯電話機および地図情報上に表示されている住民２２、３２、４２の在圏位置に対する最寄りの屋外拡声装置２２、３２、４２に対し同時に送信される。
【００８５】
位置情報伝達装置６０は放送音声信号を受信すると、受信した放送音声信号を無線信号により住民５１が携帯する携帯電話機へ送信し、住民５１は携帯する携帯電話機により放送内容を聴取する（Ｓ３１７）。
【００８６】
Ａ地区２０では複数の屋外拡声装置２１の中から住民２２の在圏位置に最も近い屋外拡声装置２１が、Ｂ地区では複数の屋外拡声装置３１の中から住民３２の在圏位置に最も近い屋外拡声装置３１が、Ｃ地区では複数の屋外拡声装置４１の中から住民４２の在圏位置に最も近い屋外拡声装置４１が放送音声を拡声して報知する（Ｓ３１８、Ｓ３１９、Ｓ３２０）。
【００８７】
その後、操作卓１０は、音声放送を終了すると呼出制御の表示領域の終話スイッチを操作して終話信号を位置情報伝達装置６０および屋外拡声装置２１、３１、４１へ送信し（Ｓ３２１）、位置情報伝達装置６０は住民５１が携帯する携帯電話機へ終話信号を送信し音声放送を終了させ（Ｓ３２３）、また屋外拡声装置２２、３２、４２も音声放送を終了する(Ｓ３２４、Ｓ３２５、Ｓ３２６)。
【００８８】
このように、Ａ地区２０に居住登録された在住民５１が、Ａ地区２０、Ｂ地区３０、Ｃ地区４０以外の地域外エリアに在圏していても、Ａ地区２０に対する放送音声の内容を自己の携帯電話機で聞くことができる。
【００８９】
次に図６に図１、図２を合わせて参照し、第４の実施の形態について説明する。第４の実施の形態は、居住登録された住民（徘徊者や迷子）の行方を探索するものである。
【００９０】
なお、ここではＡ地区に居住登録された行方不明の住民２２、３２、４２を探索する例について説明する。行方不明の住民２２、３２、４２はそれぞれＧＰＳ機能付き携帯電話機を携帯しているものとする。
【００９１】
図１によれば、Ａ地区に居住登録された住民２２がＡ地区２０に、Ａ地区に居住登録された住民３２がＢ地区に、Ａ地区に居住登録された住民４２はＣ地区にそれぞれ在圏している。
【００９２】
操作卓１０がＡ地区２０に居住登録された徘徊者や迷子の行方を探索する場合、所定の方法で操作卓１０を起動すると、図２に示す初期表示画面が操作卓上に表示される。
【００９３】
オペレータが表示画面上の分類表示領域に表示されているＡ地区のスイッチを押下すると（図６のステップＳ４０１）、Ａ地区２０に居住登録されている全在住民の個人リストが自動ソートされ、個人情報の表示領域に表示される。
【００９４】
次いでオペレータが個人リストから行方不明者を特定した後、分類表示領域の地図表示スイッチを押下すると（Ｓ４０２）、位置情報要求信号が有線接続路８０を介して位置情報伝達装置６０へ送信される（Ｓ４０３）。
【００９５】
位置情報伝達装置６０は位置情報要求信号を受信すると、住民２２、３２、４２が携帯する携帯電話機に対し、それぞれ位置情報要求信号を無線信号により送信する（Ｓ４０４）。
【００９６】
住民２２、３２、４２が携帯する携帯電話機は位置情報要求信号を受信すると、ＧＰＳ衛星７０からの出力信号を捕捉し緯度経度を検出して、自己の現在位置を取得し無線信号により位置情報伝達装置６０へ現在位置情報を送信する（Ｓ４０５）。
【００９７】
位置情報伝達装置６０は、住民２２、３２、４２が携帯する携帯電話機の現在位置情報を受信し（Ｓ４０６）、住民２２、３２、４２が現在何処の地区に在圏し、且つ在圏位置に対する最寄りの屋外拡声装置を判定し、判定した最寄りの屋外拡声装置のＩＤ情報を携帯電話機の位置情報と共に有線接続路８０を介して操作卓１０へ送信する（Ｓ４０７）。
【００９８】
操作卓１０は、位置情報伝達装置６０から住民２２、３２、４２の位置情報と最寄りの屋外拡声装置のＩＤ情報を受信し、受信した位置情報から住民２２、３２、４２が何処の地区に在圏し、ＩＤ情報から最寄りの屋外拡声装置を特定し、受信した携帯電話機の位置情報と最寄りの屋外拡声装置の位置をマッピングした地図情報に表示する（Ｓ４０８）。
【００９９】
オペレータは操作卓１０の表示画面に表示された地図情報上で、行方不明の住民２２、３２、４２の所在(現在位置)を把握することができる。
【０１００】
ここで、オペレータが警察署(消防署)に対し行方不明者の捜索を依頼する場合には（Ｓ４０９）、行方不明の住民２２、３２、４２の現在位置に最も近い警察署を指定して、所定の方法で警察署へ行方不明者の保護依頼を通報する(Ｓ４１０)。
【０１０１】
警察が行方不明者を保護した場合には、行方不明者が居住する自宅(家族)へ行方不明者を保護した旨を通報し(Ｓ４１１)、家族が不在の場合は留守番電話に録音する(Ｓ４１２)。
【０１０２】
また、市町村防災無線システムによる放送により、行方不明の住民２２、３２、４２の現在位置の周囲に在圏する住民に保護を依頼する場合には（Ｓ４１３）、行方不明の住民２２、３２、４２の現在位置に最も近い屋外拡声装置に対しその旨の放送を開始し（Ｓ４１４）、その屋外拡声装置から行方不明の住民２２、３２、４２の保護依頼を放送させる（Ｓ４１６、Ｓ４１７、Ｓ４１８）。その後、操作卓１０から終話信号を送信して（Ｓ４１９）、屋外拡声装置の放送を停止させる（Ｓ４２０、Ｓ４２１、Ｓ４２２）。
【０１０３】
一方、家族が携帯する携帯電話機へ行方不明の住民２２、３２、４２の在圏位置を通知する場合には（Ｓ４１５）、ステップ４０１へ移行して、初期画面の個人情報の表示領域から家族の携帯電話機の電話番号を特定し、以下ステップＳ４０２からステップＳ４０８の処理を行った後、第３の実施の形態の住民５１に対する放送音声の送信と同様な処理(図５のステップＳ３０８〜ステップＳ３１７)を行うことにより、家族が携帯する携帯電話機へ行方不明者の現在位置を通知する。
【０１０４】
このように、本発明の携帯電話機利用による防災無線システムの放送方法は、徘徊者や迷子等の行方不明の住民に対する探索にも利用することができる。
【０１０５】
また、第２、および第３の実施の形態においては、Ａ地区に居住登録されている住民で、Ｂ地区３０、Ｃ地区４０に移動している住民３２、４２に対し、Ａ地区向けに放送された放送内容を通報する場合、住民３２、４２の現在の位置情報を取得し在圏位置を特定し、その在圏位置に最も近い場所に設置されている屋外拡声装置の位置を特定し、特定した屋外拡声装置から住民３２、４２へ放送内容を拡声報知したが、第３の実施の形態における地区外エリアに在圏の住民５１に対する放送内容の送信と同様な処理(図５のステップＳ３０８〜ステップＳ３１７)を行うことにより、住民３２、４２は自身が携帯する携帯電話機でＡ地区向けに放送された放送内容を受信することができる。これにより、住民３２、４２に対するＡ地区向けの放送内容が、必要のないＢ地区、Ｃ地区の住民にまで拡声報知されることを防ぐことができる。
【０１０６】
【発明の効果】
以上のように本発明の請求項１および２によれば、特定地区、例えばＡ地区に居住登録されている住民に対して拡声放送する場合、統制局が位置情報伝達装置からＡ地区住民が携帯するＧＰＳ機能を備える携帯電話機から現在の位置情報を取得すると共に携帯電話機の位置情報に対する最寄りの屋外拡声装置のＩＤ情報を取得して、最寄りの屋外拡声装置を介してＡ地区に対する拡声放送を行うので、居住登録されている全住民のＡ地区在圏および全住民に対して通報したことを確認することができる。
【０１０７】
また、Ａ地区内に設置されている全屋外拡声装置から拡声放送するのではなく、住民の在圏位置に最近の屋外拡声装置から放送するため、何らかの理由で住民の在圏位置が片寄って居る場合には、不要な屋外拡声装置からの拡声放送を避けることができる。
【０１０８】
また、Ａ地区に居住登録した住民がＡ地区以外の地区内へ移動して居ても、携帯電話機の位置情報に対する最寄りの屋外拡声装置から放送するので、移動先の地区内に設置されている複数の屋外拡声装置の内、在圏位置に最近の屋外拡声装置からＡ地区向けの放送を聞くことができる。
【０１０９】
請求項３によれば、Ａ地区に居住登録した住民が他の地区以外の統制局の管轄区域内へ移動して居ている場合には、位置情報伝達装置を介して無線信号による通話回線によりＡ地区向けの放送内容を送信するので、管轄区域内へ移動している住民でもＡ地区向けの放送内容を聴くことができる。また、不応答のときは留守番電話サービスへ登録してこくことができる。
【０１１０】
請求項４によれば、管轄区域内へ移動している住民の携帯電話機が不応答のときは携帯電話機が備える留守番電話機能により、放送内容を蓄積しておくことができる。
【０１１１】
請求項５によれば、Ａ地区に居住登録した住民がＡ地区以外の地区内へ移動して居るとき、Ａ地区向けの放送を移動先の屋外拡声装置から拡声するのではなく、位置情報伝達装置を介して無線信号による通話回線によりＡ地区向けの放送内容を送信するので、移動先地区の住民は不要なＡ地区向けの放送を聞かなくて済む。
【０１１２】
請求項６によれば、住民の在圏位置およびその在圏位置に対する最寄りの屋外拡声装置の位置を操作卓に表示される地図情報上から把握することができる。
【０１１３】
請求項７、８によれば、住民が携帯する携帯電話機の位置情報を取得することにより、行方不明の住民の所在を把握することができ、警察への捜索依頼、屋外拡声装置の拡声放送による行方不明の住民が所在する地区住民に対する保護依頼、行方不明の住民の在圏位置を家族が携帯する携帯電話機へ通知することもできる。
【図面の簡単な説明】
【図１】本発明の携帯電話機利用による防災無線システムの基本構成を示す図である。
【図２】本発明の操作卓における操作表示画面の一例を示す図である。
【図３】第１の実施の形態の放送処理のフローチャートである。
【図４】第２の実施の形態の放送処理のフローチャートである。
【図５】第３の実施の形態の放送処理のフローチャートである。
【図６】第４の実施の形態の放送処理のフローチャートである。
【図７】従来の防災無線システムの基本構成を示す図である。
【符号の説明】
１０    操作卓
２０    Ａ地区
２１    屋外拡声装置
２２    住民
３０    Ｂ地区
３１    屋外拡声装置
３２    住民
４０    Ｃ地区
４１    屋外拡声装置
４２    住民
５０    Ａ町
５１    住民
６０    位置情報伝達装置
７０    ＧＰＳ衛星
８０    有線接続路
【図１】
2004206366.tif 000003
【図２】
2004206366.tif 000004
【図３】
2004206366.tif 000005
【図４】
2004206366.tif 000006
【図５】
2004206366.tif 000007
【図６】
2004206366.tif 000008
【図７】
2004206366.tif 000009